(57)【要約】      （修正有）【課題】高い気密性を安定して確保できるとともに、障子の開閉力の軽減を図ることのできる横タイト材の提供。【解決手段】横枠３室外側面に固定する基部１３ａと、基部の室外側に設けた中空状シール部１３ｂとを備え、中空状シール部は、竪タイト材１１の端面が当接する竪タイト材当接壁１３ｃと、基部から略水平に突出し且つ横枠の見込み面２３と間隔をおいて対向する横枠見込み面対向壁１３ｄと、竪タイト材当接壁と横枠見込み面対向壁を繋ぐ室外側壁１３ｅとを有し、室外側壁は、その上部と下部に室外側に膨らむ山部１３ｆを有すると共に、上下の山部の間に室内側に窪んだ谷部１３ｇを有し、竪タイト材当接壁の内壁の室内外方向略中央部と、横枠見込み面対向壁の内壁の室内外方向略中央部と、谷部の内壁の略中央部とに長手方向に溝１３ｈを設けてあり、障子横框に圧接したときに谷部は障子横框と非接触状態で且つ基部に接近する。【選択図】図１
2006225881.tif 000002
【特許請求の範囲】
【請求項１】
横枠室外側面に固定する基部と、基部の室外側に設けた中空状シール部とを備え、中空状シール部は、基部から略水平に突出し且つ竪枠に固定した竪タイト材の端面が当接する竪タイト材当接壁と、基部から略水平に突出し且つ横枠の見込み面と間隔をおいて対向する横枠見込み面対向壁と、竪タイト材当接壁と横枠見込み面対向壁を繋ぐ室外側壁とを有し、室外側壁は、その上部と下部に室外側に膨らむ山部を有すると共に、上下の山部の間に室内側に窪んだ谷部を有し、竪タイト材当接壁の内壁の室内外方向略中央部と、横枠見込み面対向壁の内壁の室内外方向略中央部と、谷部の内壁の略中央部とに長手方向に溝を設けてあり、障子横框に圧接したときに谷部は障子横框と非接触状態で且つ基部に接近することを特徴とする横タイト材。
【発明の詳細な説明】
【技術分野】
【０００１】
本発明は、サッシ窓の横枠と障子横框との間の隙間を塞ぐ横タイト材に関するものである。
【背景技術】
【０００２】
引き違いサッシでは、内外の障子の召し合せ框の間、竪枠と障子の戸先框の間、横枠と障子の横框の間にそれぞれタイト材を設け、窓の気密性や水密性の向上を図っている。横枠に設けられる横タイト材は、特許文献１に記載されているように、横枠に設けた溝状のタイト材ホルダーに取付けられる基部と、基部の室外側に設けたかまぼこ形の中空状シール部を備え、障子閉鎖時には中空状シール部が押し潰されて障子室内側面に面接触する。
【０００３】
上記従来の横タイト材にあっては、中空状シール部の変形量を大きく設定すれば、中空状シール部が障子室内側面に強く圧接して気密性や遮音性が向上するが、その一方で中空状シール部と障子室内側面との摩擦が大きくなるために、障子の開閉が重くなる不都合がある。また、タイト材が硬く、変形量が小さいと、障子の建込みのずれによりタイト材が緩く当たったり、きつく当たったりすることがあり、気密性等の性能が不安定になる。
【特許文献１】特開平８−１５１８６９号公報
【発明の開示】
【発明が解決しようとする課題】
【０００４】
本発明は以上に述べた実情に鑑み、高い気密性を安定して確保できるとともに、障子の開閉力の軽減を図ることのできる横タイト材の提供を目的とする。
【課題を解決するための手段】
【０００５】
上記の課題を達成するために本発明の横タイト材は、横枠室外側面に固定する基部と、基部の室外側に設けた中空状シール部とを備え、中空状シール部は、基部から略水平に突出し且つ竪枠に固定した竪タイト材の端面が当接する竪タイト材当接壁と、基部から略水平に突出し且つ横枠の見込み面と間隔をおいて対向する横枠見込み面対向壁と、竪タイト材当接壁と横枠見込み面対向壁を繋ぐ室外側壁とを有し、室外側壁は、その上部と下部に室外側に膨らむ山部を有すると共に、上下の山部の間に室内側に窪んだ谷部を有し、竪タイト材当接壁の内壁の室内外方向略中央部と、横枠見込み面対向壁の内壁の室内外方向略中央部と、谷部の内壁の略中央部とに長手方向に溝を設けてあり、障子横框に圧接したときに谷部は障子横框と非接触状態で且つ基部に接近することを特徴とする。
【発明の効果】
【０００６】
本発明の横タイト材は、中空状シール部の竪タイト材当接壁の内壁の室内外方向略中央部と、横枠見込み面対向壁の内壁の室内外方向略中央部と、谷部の内壁の略中央部とに長手方向に溝を設けてあることで、障子閉鎖時に中空状シール部が柔軟に且つ大きく弾性変形し、横枠と障子横框との隙間を確実にシールすることができ、しかも中空状シール部の室外側壁は上下の山部の間に谷部を設けてあり、障子横框に圧接したときに谷部が障子横框に非接触状態で且つ基部に接近するため、障子横框との摩擦を小さくして障子の開閉力を軽減できる。また本発明の横タイト材は、基部から略水平に突出する竪タイト材当接壁を有しており、障子横框に圧接して中空状シール部がつぶれたときでも竪タイト材当接壁は略水平な状態に維持されるので、竪タイト材との突き合わせ部から雨水が室内側に侵入することを防止できる。
【発明を実施するための最良の形態】
【０００７】
以下、本発明の実施の形態を図面に基づいて説明する。図２は引き違い窓の横断面図であり、図３は同縦断面図である。この引き違い窓は、上枠４、下枠３、及び左右の竪枠５ａ，５ｂを四周枠組みして構成した窓枠１４内に外障子１と内障子２を備え、外障子１と内障子２は、上枠４と下枠３に設けたレール１５に沿って左右に移動し、窓枠１４内で引き違い式に開閉するものである。内外障子１，２は、閉鎖時には戸先框７ａ，７ｂに設けた引き寄せピース１６と、内障子の召し合せ框６ｂに設けたクレセントとグレモン機構からなる施錠装置（図示省略）の作用により、室内側に引き寄せられて移動不能に施錠できる。内外障子の召し合せ框６ａ，６ｂの間と、竪枠５ａ，５ｂと障子戸先框７ａ，７ｂとの間には竪タイト材１０，１１を設けてあり、下枠３と障子下框８ａ，８ｂの間、及び上枠４と障子上框９ａ，９ｂとの間には横タイト材１３を設けてあって、障子閉鎖時には窓枠１４の開口部を内外障子１，２で気密性を保って閉鎖できる。図中の符号１２は、内障子２を開放したときにクレセントが竪枠５ａに衝突するのを防ぐ内障子ストッパーである。
【０００８】
下枠３は、図３に示すように、室内外方向の中間部と室内側壁とにタイト材ホルダー２１が設けてあり、タイト材ホルダー２１に横タイト材１３をそれぞれ室外側に向けて取付けてある。横タイト材１３は、図４に示すように、竪枠５ａ，５ｂ側の端面が竪枠の見込み面２０に当接しており、竪枠５ａ，５ｂに取付けた竪タイト材１１の下端面が横タイト材１３の上面に当接して、竪タイト材１１と横タイト材１３の端部を突き合わせてある。図１（ａ）は、横タイト材１３の障子開状態における拡大した縦断面図であり、横タイト材１３は、タイト材ホルダー２１に嵌め込んで固定される基部１３ａと、基部の室外側に形成した中空状シール部１３ｂとを有している。中空状シール部１３ｂは、基部１３ａから略水平に突出し且つ竪枠に固定した竪タイト材１１の下端面が当接する竪タイト材当接壁１３ｃと、基部１３ａから略水平に突出し且つ下枠見込み面２３と間隔をおいて対向する横枠見込み面対向壁１３ｄと、竪タイト材当接壁１３ｃと横枠見込み面対向壁１３ｄとを繋ぐ室外側壁１３ｅとを有している。室外側壁１３ｅは、その上部と下部に室外側に向けて膨らむ半円弧状の山部１３ｆを有すると共に、上下の山部の間に室内側に向けて窪んだ半円弧状の谷部１３ｇを有している。竪タイト材当接壁１３ｃの内壁の室内外方向略中央部と、横枠見込み面対向壁１３ｄの内壁の室内外方向略中央部と、谷部１３ｇの内壁の中央部とには、長手方向に溝１３ｈを設けてある。基部１３ａは半硬質樹脂で形成してあり、中空状シール部１３ｂは軟質樹脂で形成してある。
【０００９】
障子を閉鎖して施錠すると、中空状シール部１３ｂは障子下框８ａ，８ｂの室内側面に室外側壁１３ｅが当接して、図１（ｂ）に示すように弾性変形する。すなわち、竪タイト材当接壁１３ｃと横枠見込み面対向壁１３ｄは、内壁に設けた溝１３ｈが狭まるように内側に曲がり、谷部１３ｇはその内壁に設けた溝１３ｈが広がるように曲がり基部１３ａ側に接近する。このように中空状シール部１３ｂは、竪タイト材当接壁１３ｃの内壁の室内外方向略中央部と、横枠見込み面対向壁１３ｄの内壁の室内外方向略中央部と、谷部１３ｇの内壁の中央部の三箇所に溝１３ｈを設けてあることで容易に押し潰され、変形量が大きい割りには障子下框８ａ，８ｂ室内側面に当る力が弱く、しかも谷部１３ｇが障子下框８ａ，８ｂと非接触状態を保って基部１３ａに接近し、中空状シール部１３ｂと下框８ａ，８ｂ室内側面との接触面積が小さいことから、障子が横タイト材１３との摩擦によって開け難くなることを防止できる。また、中空状シール部１３ｂが障子下框に圧接してつぶれたときでも、図１（ｂ）に示すように、竪タイト材当接壁１３ｃは平らな状態に維持され、竪タイト材１１の端面との間に隙間が開かないことから、竪タイト材と横タイト材の突合せ部からの雨水の浸入を阻止できる。さらに本横タイト材１３は、上下対称形であることから、上下逆さまにして取付けることもできる。
【００１０】
上枠４にも、下枠３と同じように室内外方向の中間部と室内側壁とにタイト材ホルダー２１を設けて横タイト材１３を室外向きにそれぞれ取付けてあり、障子閉鎖時に障子上框９ａ，９ｂと上枠４との隙間を横タイト材１３でシールしている。
【００１１】
本発明は以上に述べた実施形態に限定されるものではない。中空状シール部の室外側壁は、障子に当接しない状態で山部と谷部が形成されていればよく、山部と谷部の形状については適宜変形して実施できる。本発明の横タイト材は、引き違い窓に限らず、外動や内動の片引き窓等にも用いることができる。
【図面の簡単な説明】
【００１２】
【図１】下枠に設ける横タイト材の取付状態を示す拡大した縦断面図であって、（ａ）は障子開状態、（ｂ）は障子閉状態を示している。
【図２】本発明の横タイト材を取付けた引き違い窓の横断面図である。
【図３】本発明の横タイト材を取付けた引き違い窓の縦断面図である。
【図４】左側の竪枠と下枠とのコーナー部を室外側から見た斜視図である。
【符号の説明】
【００１３】
１  外障子
２  内障子
３  下枠（横枠）
４  上枠（横枠）
５ａ，５ｂ  竪枠
６ａ，６ｂ  召し合せ框
７ａ，７ｂ  戸先框
８ａ，８ｂ  下框（横框）
９ａ，９ｂ  上框（横框）
１０，１１  竪タイト材
１３  横タイト材
１３ａ  基部
１３ｂ  中空状シール部
１３ｃ  竪タイト材当接壁、１３ｄ  横枠見込み面対向壁、１３ｅ  室外側壁
１３ｆ  山部、１３ｇ  谷部、１３ｈ  溝
２３  下枠見込み面（横枠見込み面）
【図１】
2006225881.tif 000003
【図２】
2006225881.tif 000004
【図３】
2006225881.tif 000005
【図４】
2006225881.tif 000006